(57)【要約】      （修正有）【課題】ロープ両端を結合させて物体の結締作業を、極めて簡単な作業とし得るロープクリップを提供する。【解決手段】一端部である開口部１７を持つ頭部１２と他端部である尾部１３及び軸方向Ｌに沿って長さを有する胴部１１から成るロープクリップである。前記開口部１７には尾部１３にかけて軸方向スリット１５を有する。また前記軸方向スリット１５の両側に対向するように位置する一対の側壁部１８，１８には、側壁スリット２１，２１、補助側壁スリット３３，３３、及び側壁スリット開口部２２，２２等を設ける。【選択図】  図１
2004270805.tif 000002
【特許請求の範囲】
【請求項１】
一端部である頭部と他端部である尾部との間に第一の方向である軸方向に沿って長さを有する胴部と；
上記頭部に開口部があり、該開口部から上記尾部に向けて上記軸方向に沿い上記胴部の長さの途中で終わる底部まで穿たれた軸方向スリットと；
該軸方向スリットが穿たれていることにより形成され、該軸方向スリットの上記開口部から上記底部までの間で該軸方向スリットを両側から挟んで対向するように位置する一対の側壁部と；
該一対の側壁部のそれぞれに穿たれ、該各側壁部にあって上記軸方向とは直交する方向で対向する一対の縁部の一方に開口部を有し、上記軸方向とは角度を置いた第二の方向に沿って該一方の縁部に対向する他方の縁部に向けで伸び、該他方の縁部には抜けることのない底部で終わる一対の側壁スリットと；
を有して成るロープクリップ。
【請求項２】
請求項１記載のロープクリップであって；
上記軸方向と上記第二の方向とのなす狭角は９０度以内であり、上記一対の上記側壁スリットは、それぞれ、該側壁スリットの開口部から底部に向け、上記胴部の上記尾部側から上記頭部側に向けて斜めに伸びる形状となっていること；
を特徴とするロープクリップ。
【請求項３】
請求項２記載のロープクリップであって：
上記狭角は４５度程度であること；
を特徴とするロープクリップ。
【請求項４】
請求項１，２または３記載のロープクリップであって；
上記一対の側壁部には、それぞれ、上記側壁スリットの上記開口部のある上記一方の縁部に対向する上記他方の縁部に開口部を有し、上記軸方向とは角度を置いた第三の方向に沿って上記一方の縁部に向けで伸び、該一方の縁部には抜けることのない底部で終わる補助側壁スリットも設けられ；
一対の該補助側壁スリットの開口部及び底部の位置は、上記側壁スリットの開口部及び底部のある位置よりも、それぞれ上記胴部の頭部に近い位置となっていること；
を特徴とするロープクリップ。
【請求項５】
請求項４記載のロープクリップであって；
上記軸方向と上記第三の方向とのなす狭角は９０度以内であり、上記一対の上記補助側壁スリットは、それぞれ、該補助側壁スリットの開口部から底部に向け、上記胴部の上記尾部側から上記頭部側に向けて斜めに伸びる形状となっていること；
を特徴とするロープクリップ。
【請求項６】
請求項５記載のロープクリップであって；
上記狭角は４５度程度であること；
を特徴とするロープクリップ。
【請求項７】
請求項１，２，３，４，５または６に記載のロープクリップであって；
滑りを止めるためにクリップすべき対象物であるロープの一端が上記胴部に固定されていること；
を特徴とするロープクリップ。
【請求項８】
請求項７記載のロープクリップであって；
上記ロープは上記胴部の上記尾部から伸び出していること；
を特徴とするロープクリップ。
【請求項９】
請求項１，２，３，４，５または６に記載のロープクリップのどれか一つのロープクリップの二つを互いに上記尾部同士で結合し、一体化することで、上記頭部が上記軸方向に沿い、対向して一対あるように構成されたロープクリップ。
【請求項１０】
請求項９記載のロープクリップであって；
上記一対の頭部側に設けられている各側壁部の上記側壁スリットは、上記軸方向とは直交する方向で対向する一対の縁部の中、同じ側の縁部に上記開口部を有していること；
を特徴とするロープクリップ。
【請求項１１】
請求項１０記載のロープクリップであって；
上記一対の頭部側の一方に設けられている側壁部の側壁スリットの開口部は、該一対の頭部側の他方の側壁部に設けられている側壁スリットの開口部に対し、上記軸方向とは直交する方向で対向して位置していること；
を特徴とするロープクリップ。
【請求項１２】
請求項７または８に記載のロープクリップであって；
上記胴部の上記尾部には、該尾部を正面から見て互いに直交する十文字形状の一対の溝が切られ；
該一対の溝の一方は、上記軸方向スリットの含まれる面と平行な面内を伸びていること；
を特徴とするロープクリップ。
【請求項１３】
請求項１２記載のロープクリップであって；
上記十文字形状の上記一対の溝の中、上記軸方向スリットと平行な面内を伸びている溝は、他方の溝に比べ、切り込み深さが深いこと；
を特徴とするロープクリップ。
【請求項１４】
請求項１，２，３，４，５，６，７または８に記載のロープクリップであって；
上記胴部の上記尾部には、該尾部を正面から見てそれぞれ同一または任意の方向に伸びる複数本の溝が切られていること；
を特徴とするロープクリップ。
【発明の詳細な説明】
【０００１】
【発明の属する技術分野】
本発明は、物品をロープで縛ったり、支持部材から物品をロープで吊り下げるときに、当該用いたロープの両端相互を縛ることなく、当該ロープの端部を縛ったと同様に簡単にクリップでき、滑りを止めて解（ほど）けを防止するロープクリップに関する。なお、本書でロープとは、ポリプロピレン、ビニールその他の合成樹脂製や、麻その他の自然素材製の組紐、網紐、一本紐等々、種々の紐類の他、スチールワイヤ等をも含む包括的な概念で、要は、物を縛ったり吊り下げたりするときに使用する細長い線条部材の総称である。
【０００２】
【従来の技術】
例えば、農作業において、トマトその他の作物の茎を支柱に縛り付けたりする作業は極く普通に行われるが、従来は単に、支柱に対して茎を適当な材質のロープで結わい付けていただけに過ぎない。しかし、ロープの両端を縛って行くこの結締作業は、かなりな面倒と労力を要していた。如何せん、農作業では、縛らねばならない作物の本数が極めて多いのが普通であるし、また、一本当たりでも何箇所も縛り留めねばならない。さらに、縛り留めたものを、必要が無くなったために解く作業も、これまた同様に、大変な時間と労力を要していた。
【０００３】
また、横梁張状の支持部材にロープを渡し、物品を吊り下げてから当該ロープの両端を結び止める作業も、特に物品が重いものであると、非常な手間となっていた。
【０００４】
【発明が解決しようとする課題】
従来からも、例えば洗濯ばさみ等を用いて紐の端部を留め付けようとする試みはあったが、それでは引っ張り力に弱く、直ぐに解けてしまったりして、信頼性にも乏しいし、その割に作業性も必ずしも良好ではなかった。
【０００５】
本発明は基本的にこのような観点に立ってなされたもので、ロープの端部を簡単な作業でクリップして固定でき、滑りを確実に止めて、縛ったのと同様の信頼性と保持力を得られると共に、要すれば解く作業も簡単で済む、合理的な便利用具であるロープクリップを提供せんとするものである。そして、それにはまた、可動部分やバネ等の付帯部品がなく、従って製作も容易で、壊れにくいクリップとすることも付帯的な目的としている。
【０００６】
【課題を解決するための手段】
本発明は上記目的を達成するため、
一端部である頭部と他端部である尾部との間に第一の方向である軸方向に沿って長さを有する胴部と；
胴部の頭部に開口部があり、この開口部から尾部に向けて軸方向に沿い胴部の長さの途中で終わる底部まで穿たれた軸方向スリットと；
当該軸方向スリットが穿たれていることにより形成され、この軸方向スリットの開口部から底部までの間で当該軸方向スリットを両側から挟んで対向するように位置する一対の側壁部と；
これら一対の側壁部のそれぞれに穿たれ、各側壁部にあって上記の軸方向とは直交する方向で対向する一対の縁部の一方に開口部を有し、軸方向とは角度を置いた第二の方向に沿って一方の縁部に対向する他方の縁部に向けで伸び、当該他方の縁部には抜けることのない底部で終わる一対の側壁スリットと；
を有して成るロープクリップを提案する。こうした構成により、ロープ両端相互を「縛る」と言う手作業を必要とせず、上記の各スリットに固定すべきロープを通し、実質的には引っ張って引っ掛けるという程度の作業だけで、十分な滑り止め力、固定力を得ることができる。
【０００７】
さらに望ましくは、本発明では、上記した一対の側壁部には、それぞれ、側壁スリットの開口部のある一方の縁部に対向する他方の縁部に開口部を有し、軸方向とは角度を置いた第三の方向に沿って上記の一方の縁部に向けで伸び、当該一方の縁部には抜けることのない底部で終わる補助側壁スリットも設け、これら一対の補助側壁スリットの開口部及び底部の位置は、側壁スリットの開口部及び底部のある位置よりも、それぞれ胴部の頭部に近い位置となっているロープクリップも提案する。この補助側壁スリットを用いることで、用途やロープのクリップ手順はより選択性が広まり、より高いロープ固定力を得ることもできる。
【０００８】
なお、軸方向と、上記した側壁スリットの伸びる第二の方向とのなす狭角や、補助側壁スリットを設ける場合には軸方向と当該補助側壁スリットの伸びる第三の方向とのなす狭角は９０度以内とするのが良く、特に４５度程度とするのが望ましい。
【０００９】
本発明のロープクリップは、単体の治具部材、便利工具として市販することももちろんでき、クリップすべきロープはロープクリップの各スリットに通る適当な径であれば使用者において自由に用意することもできる。しかし逆に、予め、滑りを止めるためにクリップすべき対象物であるロープの一端を胴部に固定しておき、ロープ付ロープクリップとして市販することもできる。この際、当該ロープは、限定的ではないが、胴部の尾部から伸び出しているように固定するのが望ましい。
【００１０】
本発明ではまた、上記したロープクリップがあたかも背中合わせに二つ結合した格好のロープクリップ、すなわち、上記した中のどれかのロープクリップ二つを互いに尾部同士で結合し、一体化することで、頭部が軸方向に沿い、対向して一対あるように構成されたロープクリップも提案する。このとき、一対の頭部側に設けられている各側壁部の側壁スリットは、軸方向とは直交する方向で対向する一対の縁部の中、同じ側の縁部に上記開口部を有しているようにしたり、あるいはこれを  軸方向の軸の周りに１８０度互いに捻った関係とし、一対の頭部側の一方に設けられている側壁部の側壁スリットの開口部は、当該一対の頭部側の他方の側壁部に設けられている側壁スリットの開口部に対し、軸方向とは直交する方向で対向して位置しているようにしても良い。こうしたロープクリップも、さまざまなロープの掛け方ができ、種々の用途に便利に使える。
【００１１】
ロープクリップの尾部に対しても改良を施すことができ、当該尾部を正面から見て互いに直交する十文字形状の一対の溝が切られ、これら一対の溝の一方は、軸方向スリットの含まれる面と平行な面内を伸びているロープクリップも提案でき、このとき、当該軸方向スリットと平行な面内を伸びている溝は、他方に比べて切り込み深さを深くすると望ましい。このようなロープクリップは、尾部からロープを予め固定して出しておくと特に便利で、固い支柱ではなく、紐状の柔軟な支持部材に例えば植物の茎等を結締するときに便利に使える。もちろん、この考えは、用途に応じ、当該尾部に、それぞれ同一または必要な任意方向に伸びる任意本数の溝を任意方向に設けて良いことも意味する。これを一般的に展開すれば、ロープが固定されているか否かは問わない。
【００１２】
【発明の実施の形態】
図１（Ａ）  〜（Ｆ）  には、本発明の望ましい一実施形態におけるロープクリップ１０が示されている。図面が煩雑化するので、これら図１（Ａ）  〜（Ｆ）  中において各符号はそれぞれ分かり易い所に相関を保ちながら分散して付してある。また、本図はこのロープクリップ１０の一使用例も示しているが、まずは構造的な観点から説明して行くと、頭部１２と尾部１３とが第一の方向である軸方向Ｌに沿って対向した胴部１１がある。この実施形態では、全体として大まかに見ると、胴部１１は四側面を有する柱状体である。胴部１１の頭部１２の先端からは尾部１３に向け、軸方向Ｌに沿って穿たれ、胴部長さの途中の底部１６で終わるの軸方向スリット１５が穿たれている。
【００１３】
この軸方向スリット１５内には後述のように滑りを止めて固定すべきロープを通すので、そのときの差込作業を容易にするため、当該軸方向スリット先端の開口部１７は望ましくはテーパ状に開いている。
【００１４】
この軸方向スリット１５があることにより、その両側には当該軸方向スリット１５を挟む一対の側壁部１８，１８が形成され、この側壁部１８，１８には、それぞれ側壁スリット２１，２１が穿たれている。この側壁スリット２１，２１の開口部２２，２２は、側壁部１８，１８にあって軸方向Ｌとは直交する方向で対向する一対の縁部の一方の縁部１９，１９に開いていて、軸方向Ｌとは角度を置いた第二の方向に沿って他方の縁部に向けで伸び、他方の縁部には抜けることのない底部２３，２３で終わっている。
【００１５】
図４には、後に説明する本発明の他の実施形態をも包含するように書かれた本願ロープクリップの各面図が示されているが、当該図４において線分Ｂ１よりも図中で左側の部分を除去し、また、これも後に説明するように、ロープクリップに予めロープを止め付けて置くために使用する透孔３１や胴部側面に開口した座刳り部分３２を除けば、今説明している図１に即する実施形態のロープクリップ１０の図面ともなる。逆に、線分Ｂ１からＢ２の部分をも追加して見ると、後述する本発明の他の実施形態におけるロープクリップ８０となる。なお、以下の各図において対応する符号は同一ないし同様であるか、少なくとも同機能の構成要素を示す。
【００１６】
やはり図面が煩雑化するのを防ぐため、図４（Ａ）  〜（Ｉ）  中においても各符号は分かり易いように相関を保ちながら分散して付してあるが、まず図４中にあっても図４（Ｆ）  に示しているように、軸方向Ｌに対し、側壁スリット２１，２１の伸びる第二の方向Ｔは狭角θａ  を置いている。この狭角θａ  は、実は９０度程度まで許容できるが、種々実験の結果、図示のように側壁スリット２１，２１が側壁部１８，１８の主面を正面から見た時に、側壁スリット開口部２２，２２から底部２３，２３に向けて斜めに下るように（胴部頭部１２に向かうように）なっているのが望ましく、特に狭角θａ  は４５度であるのが望ましい。また、  側壁スリットの開口部２２，２２の胴部尾部よりの端部は軸方向スリット１５の底部１６の所辺りに位置させるのが良い。
【００１７】
本発明のロープクリップは、上記の構成により最小限にして十分な機能を営みうるが、この実施形態では、さらに、補助側壁スリット３３，３３も各側壁部１８，１８に設けられている。
【００１８】
この補助側壁スリット３３，３３に就き説明するに、一対の側壁部１８，１８には、それぞれ、先に説明した側壁スリット２１，２１の開口部２２，２２のある一方の側壁部縁部１９，１９に対向する他方の縁部３９，３９に開口部３４，３４を有し、軸方向Ｌとは角度を置いた第三の方向Ｓ（図４（Ｆ）  に例示）に沿って上記の一方の縁部１９，１９に向けで伸び、当該一方の縁部１９，１９には抜けることのない底部３５，３５で終わるように、当該補助側壁スリット３３，３３が設けられている。そして、これら一対の補助側壁スリット３３，３３の開口部３４，３４及び底部３５，３５の位置は、主たる側壁スリット２１，２１の開口部２２，２２及び底部２３，２３のある位置よりも、それぞれ胴部頭部１２に近い位置となっている。予め述べておくと、軸方向Ｌと第三の方向Ｓとのなす狭角θｂ  も９０度以内とするのが良く、特に４５度程度とするのが望ましい。
【００１９】
本願ロープクリップの材質は任意であって、合成樹脂の他、木製や金属製であることも想定でき、実際、本出願人においてはそれらの試作品を製作もしているが、一般にはアクリルその他、適当な合成樹脂製とするのが軽量で便利である。図１に示されているロープクリップ１０の先端頭部１２が横から見て丸みを帯びているのは、型抜きの都合上である。ある場合には、もっと四角くなっている方が好ましいこともあるが、本願ロープクリップとしての機能上の問題がない限り、原理的には形状は任意である。例えば胴部の立体形状も、図示の場合にはほぼ角柱状であるが、円筒形状ないしそれに近い形状であっても、一対の側壁部１８，１８を設けたり各スリットを穿って以下に説明する機能を呈させることができる。
【００２０】
さて、図１の本願ロープクリップ１０の一使用例に就き、図２，３も用いて説明する。ここでは、図３に模式的に示すように、適当なる固い棒状の支柱ＳＰにトマトの茎等、作物の茎ＳＴを結締して行く作業を例に取る。まず、本願ロープクリップ１０の各スリットに通せる径で結締に必要な長さのあるロープを用意する。これは例えば、この種の用途であるならば、古新聞を束ねたり小包を荷造りしたりするときに使う普通のビニール紐であっても、強度的には十分である。もちろん、本来的には任意の材質、強度のロープを用い得る。
【００２１】
図１（Ａ）  に示すように、ロープＲＰの一端近傍とロープクリップ１０とを片手で固定し、他方の手でロープＲＰの一方の自由端近傍の短い部分ＲＰ−１をまず側壁スリット開口部２２，２２のある側から胴部頭部先端の軸方向スリット開口部１７を介して軸方向スリット１５内に通す。次いで、矢印Ｒ１で示すように、図１（Ａ）  中では手前に見える一方の側壁部１８の側面を回しながら、図１（Ｂ）  に示すように、一対の側壁スリット２１，２１の手前の一方から奥の他方の中に、その開口部２２から底部２３に向けてロープＲＰを共に通す。その後、矢印Ｒ２で示すように、図１（Ｃ）  に示す通り、ロープＲＰの残りの長い部分を軸方向スリット２１の先端開口部１７の方に向けて引っ張ると、当該ロープＲＰの自由端ＲＰ−１はしっかりと固定される。図１（Ｄ）  はこの状態で本願ロープクリップ１０を９０度、手前側に倒した様子を示している。
【００２２】
引き出したロープＲＰは、図１（Ｄ）  のように裏側に回して矢印Ｒ３のように引っ張り、その後、図３（Ａ）  に模式的に示すように、同じ矢印Ｒ３方向に支柱ＳＰの周側壁周囲を通し、できれば図示のように八文字型に茎ＳＴの周りを通した後、支柱ＳＴの対向周側壁に沿わせて再び本願ロープクリップ１０の所まで持ってくる。
【００２３】
図１（Ｅ）  は、このロープＲＰの戻ってきた他端側の結締作業をのみ明確に示すために、先に図１（Ａ）  〜（Ｄ）  に即して説明したロープＲＰの一端ＲＰ−１側の結締状態はあえて示していない。茎ＳＴから支柱ＳＰの周りを通して持ってきたロープＲＰの他端ＲＰ−２は、図１（Ｅ）  に示すように、まず、一対の側壁スリット２１，２１の開口部２２，２２のある側とは反対側の、補助側壁スリット３３，３３が開口している側から軸方向スリット先端開口部１７を介し軸方向スリット１５内に挿入した後、図中で見えている方の側壁スリット２１内に挿入する。
【００２４】
ややロープを引き絞る感じでこの作業を行いながら、矢印Ｒ４で示すように、側壁部の周りを回して一対の補助側壁スリット３３，３３内に共に挿入し、さらには対向側壁部１８の外を回して当該対向側壁部１８側壁スリット２１内に挿入し、矢印Ｒ５で示すように当該他端自由端ＲＰ−２を引き出すと、支柱ＳＴに対する茎ＳＴの結締が確実に行える。図２は、図１（Ａ）  〜（Ｆ）  の作業を全て終えたときの、ロープＲＰと本願ロープクリップ１０との絡み合い状態を全て示している（但し、対象物の周りを回す部分は簡単のために単にループで示し、八文字型には示していない）。
【００２５】
こうして結締された模様は図３（Ｂ）  に示されているが、本発明のロープクリップ１０では、結締しているロープＲＰを緩めようとする力が働くと、そうした時に発生する解き力である張力Ｆは、むしろ、本願ロープクリップ１０によるロープＲＰの滑り止め効果、ロック力を増すことになる。例えば、当該張力Ｆが加わることで支柱ＳＴに近い部分のロープＲＰの部分ＲＰ−３は、補助側壁スリット３３内に入っているロープの自由端近傍部分ＲＰ−４により、軸方向スリット内の部分で大きな摩擦力により、いわゆる“殺された”状態となり、滑り緩むことができない。もちろん、各スリットとロープＲＰとが接触している角部（エッジ）での摩擦力も大に寄与する。
【００２６】
もっとも、ロープＲＰの長さ方向の各部分相互が力を及ぼし合うことでの滑り止め効果が大きいために、むしろ、各スリットのエッジ部分はやや丸みを持たせ、エッジが鋭いが故にロープＲＰに切断ダメージを与えてしまうようなことがないようにすることができる。
【００２７】
本願ロープクリップの良い所はさらに幾つもあり、例えば図３（Ｂ）  に示されているように、本願ロープクリップ１０から出て行くロープ部分ＲＰ−５と、戻ってきて本願ロープクリップ１０に係合するロープ部分ＲＰ−３とが互いに極めて近接しているために、支柱ＳＰ等、本願ロープクリップ１０の結締に係る部材に対し、ロープ部分のみが接触し、本願ロープクリップ１０は物理的に接触しないで済むと言うことがある。つまり、本願ロープクリップ１０が結締対象物体ＳＰを傷つける恐れが少ないのである。
【００２８】
さらに、外すのも簡単で、最後に留め付けたロープＲＰの自由端ＲＰ−２を掴み、やや引く感じで上記とは逆のルートでロープＲＰを本願ロープクリップ１０から外して行けば良いだけである。また、この外し作業の時にも、上記のように本願ロープクリップ１０は結締対象物体ＳＰから浮いているので、胴部１１を掴み易く、作業性はその点でも高まる。なお、胴部１１を掴み易くするための付加的工夫として、図示実施形態では、特に図４の方に良く示されているように、胴部１１にあって軸方向スリット１５の底部１６から尾部１３に至る部分の外側面部を人が掴む把持部として、ここに胴部内部に向けて凹む凹部３６．．．．を形成している。本願ロープクリップ１０を指で摘み易くするためである。
【００２９】
ところで、上記においては補助側壁スリット３３は必須のように示してあるが、実は、これはなくても同様の結締力を得られることもある。例えば胴部寸法の頭部近傍をやや長めにする等すれば、図１〜２では補助側壁スリット３３内に入っていたロープＲＰの部分ＲＰ−４は、それよりも長さ方向手前や後ろのロープ部分が側壁スリット２１にて抑えられていることもあり、側壁部１８の縁部３９上のまだ平らな部分を滑って頭部先端から落ちてしまうようなことはないので、やはり張力Ｆに良く逆らうことができる。要すれば、この縁部３９の頭部先端までの平らな部分の長さを必要なだけ長くするように設計すれば良い。ただ、補助側壁スリット３３，３３があることは、やはり確実性を増す意味で好ましい。また、作業性が良く、力の配分関係も合理的になるのは、図４（Ｆ）  に即して先に少し説明した通り、軸方向スリット１５の軸線Ｌに対して、側壁スリット２１の伸びる第二方向の軸線Ｔは９０度以下の狭角θａ  を置き、補助側壁スリット３３の伸びる第三方向の軸線Ｓもまた、９０度以下の狭角θｂ  を置いていて、できればそれらは４５度程度にすることが望ましい。しかし、限定的ではなく、どちらか一方または双方がもっときつい角度や９０度程度であっても、ロープクリップ１０として機能することができる。補助側壁スリット３３に関しては、特にその傾向がある。もちろん、先に軸方向スリット１５に関し述べたと同様に、側壁スリット２１や、補助側壁スリット３３を設ける場合にはこの補助側壁スリット３３に関しても、それらの開口部２２ないし３４は、ロープを差し込み易いように、テーパ状に開いていることが望ましい。
【００３０】
図４中、図４（Ｆ）  は図４（Ｃ）  中の１Ｆ−１Ｆ線に沿って見た一部断面図であり、図４（Ｈ）  は同図（Ａ）  の１Ｈ−１Ｈ線に沿って見た断面図であって、図４（Ｉ）  は全体図を斜視図にて示し、これまで説明して来たロープクリップの構造をより明確に表しているが、次ぎの図５に示す実施形態５０は、同じく図４を利用しながら説明できるものの、別の実施形態によるロープクリップ５０で、初めからロープクリップ本体にロープをセットさせておく場合を示している。ただ、これまでに述べてきた種々の配慮や条件は本図以降の各実施形態に就いても特に適用できない旨の断り書きがない限り、適用することができる。従って、符号に関しても、これまで用いたと同一の符号により示されている構成子は、そうした既説明の構成子と同一ないし同様であって良い構成子である。
【００３１】
まず、ロープＲＰの一端をロープクリップ５０の胴部１１に固定しておくには、当該ロープがビニールやポリプロピレン等、熱により変形するロープであるならば、図４に示されているように、尾部１３から胴部１１の内部に伸び、途中で折れて胴部外側面に抜ける透孔３１を穿ち、外側面に抜け出る部分は段差をもって大径となった座刳り部分３２として、この透孔３１内に固定すべきロープ端を通し、座刳り部分３２の所を出た部分を熱で溶かして大径となし、当該座刳り部分３２の所に留め置くようにするのが便利である。もちろん、任意適当な接着剤の援用を妨げない。
【００３２】
尾部１３から伸び出すロープＲＰを持つ図５に示す本願ロープクリップ５０は、幾つもの使い方ができる。例えばまず、図５（Ａ）  に示すように、ロープクリップ尾部１３から伸び出しているロープＲＰを矢印Ｒ６のように単に結締対象物の周りに捲きつけた後、ロープクリップ１０に戻してきて、戻してきた自由端近傍を軸方向スリット１５にその開口端１７から通した後、引き絞りながら図中で見えている方の側壁部１８の側壁スリット２１に嵌め付け、それから側壁部２１の対向縁部側で両側壁部１８，１８の一対の補助側壁スリット３３，３３に通した後、下に回して他方の側壁スリット２１に通すように引き絞れば、図中で矢印Ｒ６とは逆方向に加わることになる解き力に対し、それで十分な抵抗力を得ることができる。このようにした場合、ロープＲＰにより縛られる対象物の表面に、本願ロープクリップ５０の胴部１１の面部が接触することがある。逆に言えば、それでも構わない用途には便利なロープクリップの手順である。
【００３３】
対して、物体を結締した時に、図３（Ｂ）  に示したように、ロープクリップ５０が物体に触れることのない、図１に示したロープクリップ１０と同様の使い方をする場合には、まず、尾部１３から伸び出した部分を、別途なロープＲＰを使った図１の場合におけると同様、軸方向スリット１５の底部１６からまずはロープクリップ外部に伸び出させるために、図５（Ｂ）  に示すように、ロープクリップ５０の尾部１３から出たロープ部分ＲＰ−６を、直ちに側壁スリット２１の開口部のある側の胴部外側面に沿わせて引き、単に軸方向スリット１５内を通して反対側に抜けさせ、その部分をロープクリップ５０から最初に出て行く部分ＲＰ−５としても良い。この部分は先に図３（Ｂ）  に示した部分ＲＰ−５と実質的に同じことになる。従って、矢印Ｒ３方向に沿い対象物を結締して戻ってきた部分ＲＰ−３以降を図１（Ｅ），（Ｆ）  に即して説明した手法でロープクリップ５０に留め付ければ良い。
【００３４】
図５（Ｂ）  とは逆の面にロープクリップ尾部１３から出たロープ部分ＲＰ−６を這わせることもできる。例えば図５（Ｃ）  に示すように、ロープクリップ５０の尾部１２から出たロープ部分ＲＰ−６を直ちに補助側壁スリット３３の開口部３４側の胴部外側面に沿わせて引き、単に軸方向スリット１５内を通して反対側に抜けさせ、その抜け出た部分をロープクリップ５０から最初に出て行く部分ＲＰ−５としても良い。この場合には対象物を取り巻いて戻ってきたロープ部分ＲＰ−３は主たる側壁スリット２１の開口部の向いている側から軸方向スリット１５内に通し、図中で見えている方の側壁部１８の周りを回して、やはり見えている側壁スリット２１から見えていない方の側壁部１８の側壁スリット２１内に通すように嵌め付ければ、緩もうとするロープＲＰの滑りを抑え、引き絞った状態に保つことができる。特にこの状態では、実質的に補助側壁スリット３３，３３は殆ど機能しないが、これで構わない。
【００３５】
図５（Ｄ）  は、補助部材としてのフック４１が設けられている実施形態を示している。これは、主たる側壁スリット２１の開口している側の胴部外側面にあって軸方向スリット１５の底部１６近傍で胴部尾部１３に向かい、先端を折り曲げた形状のフック４１として設けられていて、これまた種々の使い方ができるが、例えば図示のように、胴部尾部１３から伸び出すロープＲＰが何かの対象物を捲いて戻ってきたときに、ロープを引き絞る際の力点、支点として利用し得る。まず、戻してきたロープＲＰを胴部１１の反対側に回してフック側に持って来、このフック４１に絡げるようにして良く引き絞る。その状態で、残りの先端自由端に至るロープ部分を再び胴部周囲にぐるりと一周させ、その後に一対の側壁スリット２１，２１に嵌め込みながら引き出すようにすると、補助側壁スリット３３，３３に嵌りつくこともあって、このロープ端部の固定が堅固になる。もちろん、図示とは異なるように各スリットを使うことはできる。実際、本願ロープクリップでは、さまざまなロープの通し方が可能であり、その時々の作業に便利なロープの回し方、各スリットの選択的な利用の仕方ができるのである。
【００３６】
本願ロープクリップ５０は、単に物品を吊り下げたりする用途にも便利に使うことができる。例えば図５に示したロープ付ロープクリップ５０を用いた場合、図７に示すように、吊り下げたい物品ＳＢにロープを通す部分ＳＢ−Ｓがあるのならばそこに胴部尾部１３から伸び出しているロープＲＰを通し、そうでないのならば巻き付けるなどした後、上方にある、例えば横桟ＳＫに回し渡してから本願ロープクリップ５０の所までロープＲＰを持ってくる。そして、この自由端は、図６にこの部分を拡大して示すように、単に軸方向スリット１５に通してから一方の側壁部１８の側壁スリット２１に通し、胴部１１の周りを回して側壁部対向縁部側にある一対の補助側壁スリット３３，３３に入れるようにすれば、物品ＳＢの重さによる張力は、却ってロープＲＰの一対の補助側壁スリット３３，３３に入っている部分を、荷重の懸かっている部分で殺す力になり、滑りを抑えるので、良く重みに耐えることになる。
【００３７】
本出願人においては、通常の作業用として長さがせいぜい５ｃｍのロープクリップを試作したが、同時に１０ｃｍ以上に及ぶ大型の物も試作し、これにロープとして鋼鉄製のワイヤロープを用いた所、バーベルのように相当に重いものも吊下できた。もちろん、図５に示したロープ付ロープクリップ５０ではなく、ロープが別体になっている図１図示のロープクリップ１０でも、同様にこの種の用途に使うことができるし、寧ろ、ロープ長さが決まらないときにはこちらのロープクリップ１０の方が便利かもしれない。
【００３８】
なお、図６に示した留め付け方法は、胴部１１を  １８０度ひっくり返して、一対の主たる側壁スリット２１，２１にロープ端部を通すことで、その部分を張力の懸かるロープ部分で殺すこともできる。また、こうした方法や図６に示す方法は、単に物体を結締する際の簡単な作業例ともなる。
【００３９】
図８には、本願ロープクリップの更なる実施形態として、図１に示したロープクリップ１０をあたかも二つ用い、これら二つのロープクリップ１０，１０を中心に示した仮想線Ｃの部分で互いに尾部１３，１３同士で結合し、一体化することで、一対の頭部１２，１２が軸方向に沿い、対向している形状の本願ロープクリップ６０Ａ，Ｂ  が示されている。図８（Ａ）  に示すロープクリップ６０Ａ  の場合には、軸方向に一連の一対の各側壁部１８，１８の側壁スリット２１，２１は、軸方向とは直交する方向で対向する一対の縁部の中、同じ面側の縁部１９，１９に開口部２２，２２を有している。従って、補助側壁スリット３３，３３を設ける場合には、やはりこれら補助側壁スリット３３，３３も、同じ縁部面側にある。
【００４０】
一方、図８（Ｂ）  に示す本願ロープクリップ６０Ｂ  の場合には、軸方向に一連の一対の各側壁部１８，１８の側壁スリット２１，２１は、軸方向とは直交する方向で対向する一対の縁部の中、異なる縁部、すなわち一方は縁部１９に、他方は縁部３９に開口部２２，２２を有している。従って、補助側壁スリット３３，３３を設ける場合にも、これら補助側壁スリット３３，３３は互いに異なる面側にある。
【００４１】
このように、対向して軸方向スリットと側壁部に設けられた各スリットを対向して二組有するロープクリップ、つまりは本願ロープクリップの構造によるロープクリップ部を第一、第二の二組有するロープクリップ６０Ａ，Ｂ（両者を包括して述べるときはサフィックスを省き、単にロープクリップ６０とする）は、それぞれの組でこれまで説明してきたロープクリップ機能を呈することができ、任意なロープ留め付けを行えるため、その使途はかなり広まる。
【００４２】
例えば図９に模式的に示しているように、木と木の間に梁ロープＲＰ−１１  を渡してこれに適当なシート６２を掛け、シート６２の下縁部は適当箇所で地面に打ったボルト、杭等のポスト部材６１．．．．に固定するような時、こうしたロープクリップ６０は極めて便利に使うことができる。ここで例えば、梁ロープＲＰ−１１  をそれぞれ木に留めるときの輪っか状のループロープ部分ＲＰ−１２，ＲＰ−１２  は、それぞれロープクリップ６０，６０の第一クリップ部を利用して留め付け、第二クリップ部同士を利用して梁ロープＲＰ−１１  を張っても良い。こうした場合、本願ロープクリップ６０によると、ループ状に作った部分の当該径が、引っ張りにより変わってしまうことのない便利さがある。
【００４３】
一方、一対のループロープ部分ＲＰ−１２，ＲＰ−１２  も梁ロープ部分ＲＰ−１１  も、一本のロープであって、その一端側で輪を作って一方のロープクリップ６０の第一クリップ部で留めることで一方のループロープ部分ＲＰ−１２  を作り、そのまま、当該一方のロープクリップ６０の第二クリップ部には例えば単に側壁スリット２１または補助側壁スリット３３の一方に簡単に引っ掛ける程度にしてそのまま長さ部分である梁ロープ部分ＲＰ−１１  を対向するクリップ側に持ってきて他方の木に引っ掛け、第二のループロープ部分ＲＰ−１２  を作って第二のロープクリップ６０の第一クリップ部で固定しても良い。このときにも、必要に応じ、第二のロープクリップ６０の第二クリップ部を強度を増すために、梁ロープ部分ＲＫ−１１  の途中や、或いはループロープ部分ＲＰ−１２  の自由端部分の留め付けに利用することができる。
【００４４】
こうしたことはポスト部材６１とシート６２の下縁部の留め付けにも応用でき、もちろん、そのときの本願ロープクリップ６０に対してのロープの係合のさせ方は、これまで説明して来た種々の手法の中、都合の良い任意の手法を採用できる。なお、本図には、既に図６，７に即して説明したように、バケツ等の物品ＳＢを木の枝を支持部材ＳＫとして吊下する場合も模式的に示されているが、ここに用いるクリップは既述の本願ロープクリップ１０，５０であって良いことはもちろん、ここにも図８図示の本願ロープクリップ６０を使うことができる。二組あるクリップ部の中、何時も必ず、双方を使わなくても良いのであるから、アウトドア・スポーツ等には、図８図示のロープクリップ６０のみを幾つか持って行く方が合理的かも知れない。もちろん、立ち木の誘引作業などにも、同様にしてこのロープクリップ６０は有効に使うことができる。
【００４５】
さて、図４に戻り、線分Ｂ１−Ｂ２  間の部分をも尾部１３ａ  として有する他の実施形態としての本願ロープクリップ８０に就き説明する。
【００４６】
尾部１３ａ  には、当該尾部１３ａ  を正面から見ると、図４（Ｄ）  に良く示されているように、この場合は当該尾部１３ａ  を正面から見て互いに直交する十文字形状の一対の溝８１，８２が切られている。一方の溝８１は、図４（Ｃ）  や（Ｅ）  に良く示されているように、軸方向スリット１５の含まれる面と平行な面内を伸びている。さらに、この実施形態では、限定的ではないが、望ましいことに、この軸方向スリット１５と平行な面内を伸びている溝８１は、他方の溝８２に比べ、切り込み深さが深くなっている。この深さは、用いるロープの径に略々等しくしておく。そして、この実施形態では、やはり胴部に望ましくは一端を固定し、これも望ましくは尾部１３ａ  から伸び出したロープＲＰが既にセットされているものとする（図４では図示していない）。
【００４７】
こうした本願ロープクリップ８０は、例えば図１２に模式的に示すような使用例に有効である。すなわち、昨今では、例えばビニールハウス内等では、堅固な支柱に作物の茎ＳＴを適所ごとに縛り付けるのではなくて、柔軟なビニール紐等をいわば“支柱紐”ＲＰ−Ｓとして用い、その一端をビニールハウスの天井梁部材ＳＫに縛りつけ、下端はそのままブラブラさせて置くか、縛り付けるトマト等の作物の茎ＳＴの下端部に結わえ、この支柱紐ＲＰ−Ｓに対し、当該茎ＳＴを縛って行く作業となっていることも多い。もちろん、この作業も極めて手間が掛かる。
【００４８】
そこで、本願ロープクリップ８０を用いると、この作業は極めて簡単化する。図１０（Ａ）  に示すように、ロープクリップ８０の尾部１３ａ  において、軸方向スリット１５の伸びる面とは直交する面内に平行な方向に伸びる溝８２の方にまず、この支柱紐ＲＰ−Ｓを通してしまう。そうしてから、尾部１３ａ  から伸び出して直ぐの所のロープ部分ＲＰ−７で、図１１（Ｂ）  に良く示してあるように支柱紐ＲＰ−Ｓを包むように抑えてしまい、そのまま直交する溝８１を介し、当該ロープＲＰを胴部１１の上を通して軸方向スリット１５に入れてしまう。
【００４９】
こうしてから、図１０（Ａ）  中の矢印で示すようにロープＲＰを引き出し、作物の茎ＳＴに回した後、戻してきて、少し引き気味にしながら再度軸方向スリット１５内に入れ、図中で見えている方の側壁部１８のみの主たる側壁スリット２１から補助側壁スリット３３に掛けて絡げて引き出せば、それだけで簡単に茎の支持ができる。従来のように一箇所一箇所縛っていた手間を考えると、極めて簡単である。
【００５０】
しかも、図１１（Ａ）  に示すように、留め付け作業が終わると、加重Ｇｄは下方に掛かる結果、本願ロープクリップ８０は頭部１２の方を斜め下に向ける格好になり、尾部１３ａ  の溝８２内に入っている支柱紐ＲＰ−Ｓは、溝８２の出口部分のエッジ８２ｅ  で大きな摩擦を受け、結局、支えている茎ＳＴがズレ動くことがない。ここで、ロープクリップ尾部１３ａ  においては支柱紐ＲＰ−ＳとロープＲＰとが交差するので、不測の段差を防ぐには、一方の溝、例えば軸方向スリット１５と平行な面内に存在する溝８１の深さは、他方の溝８２に比し、既述したように、用いるロープの径程度、深くなっていると良いのである。
【００５１】
また、図１１（Ａ）  とはロープクリップ８０を  １８０度した関係として、図１１（Ｂ）  に示すように、補助側壁スリット３３の方を手前にしても、同様の結締手法で茎ＳＴの結締作業は同様に可能である。茎ＳＴ等の対象物を捲いて戻ってきたロープＲＰを軸方向スリット１５に通した後、一方の側壁部１８のみの外周を回して当該一方の側壁部１８の側壁スリット２１から他方の側壁スリット２１に渡し越すようにロープＲＰを通しても、やはり十分な滑り止め効果、結締力が得られる。このときは、実質的に補助側壁スリット３３はなくても良いので、そうした補助側壁スリット３３のない本願ロープクリップも有効に使えることがあるのが分かる。
【００５２】
もちろん、溝付尾部１３ａ  を有する本願ロープクリップ８０でも、図１３に示すように、単体のロープクリップ１０を用いて例えば八文字状に支柱ＳＰと茎ＳＴ等、二つの物体間を回してそれらを固定した用途（図２，３）と同じ用途にも当然使える。尾部１３ａ  から出ているロープＲＰを溝８１内に入れて軸方向スリット１５内に通し、その底部１６（図１）の近傍から引き出せば、後の処理はこれまで説明してきたと同様の手順で支柱ＳＰに対し茎ＳＴを支持させることができる。
【００５３】
なお、溝８１，８２の付いた尾部１３ａ  を有するロープクリップ８０の場合には、ロープＲＰの一端は予めクリップ胴部１１に固定しておくのが良いが、例えば溝だけが任意本数、それぞれ尾部１３ａ  を正面から見て同一または任意の方向に伸びるように設けられているような構造にも種々の用途が考えられ、そもそもロープＲＰが固定されていなくても良い場合も考えられる。
【００５４】
ロープＲＰの一端を予めロープクリップの胴部１１に固定させる場合にも、製品として出荷するときに既に固定されているのではなく、使用者が固定するようにしても良い。例えば、胴部１１に穿った透孔３１（図４）内に使用者がロープの一端を挿入し、透孔出口から出てきたロープ端を結んで玉にし、逆抜けを防ぐようにすることでクリップ胴部１１に固定するようにしても良い。これならば、使用者の好みの長さのロープを使うことができる。また、ロープの一端の固定端は、上述のように尾部１３とし、軸方向に引き出すのが便利であるが、これに限定されない。胴部１１の側面の任意適当なる箇所から引き出すようにしても良い。
【００５５】
【発明の効果】
本発明によれば、これまでは極めて手数と時間の掛かる作業であった、ロープ両端を結び合わせての物品ないし物体の結締作業や吊り下げ作業等が、実質的には引っ張りながらのロープクリップへの引っ掛け作業に近くなり、極めて簡単化する。しかも、可動部分のないロープクリップであるので、作るのも容易で安価にでき、壊れ難いために信頼性も高い。結び目を解くのも大変な時があるが、本願ロープクリップではクリップ状態から解放するのも簡単である。
【図面の簡単な説明】
【図１】本発明に従って構成されたロープクリップの一実施形態の構造と使用例の説明図である。
【図２】図１に示したロープクリップのロープの留め付け（クリップ）が完了した状態での様子を説明する説明図である。
【図３】図１に示したロープクリップが物体を結締している状態と解き力に抵抗できる様を示す説明図である。
【図４】本発明に従って構成されるロープクリップの幾つかの実施形態の構造を各面図で示す説明図である。
【図５】本発明に従って構成された他の実施形態のロープクリップに置ける様々な使用例、ロープクリップの仕方の説明図である。
【図６】図５に示した本発明ロープクリップのロープクリップ後の状態の一例を示す説明図である。
【図７】図５に示した本発明ロープクリップを用いて物品を吊り下げた場合の説明図である。
【図８】本発明のさらに他の実施形態におけるロープクリップの概略構成図である。
【図９】図８に示した本発明ロープクリップの応用使途例の説明図である。
【図１０】本発明のまた別な実施形態としてのロープクリップの構成と使用例に関する説明図である。
【図１１】図１０に示した本発明ロープクリップのロープ留め付け状態に関する説明図である。
【図１２】図１０に示した本発明ロープクリップの応用例に関する説明図である。
【図１３】図１０に示した本発明ロープクリップの使い方に関する説明図である。
【符号の説明】
１０  本発明ロープクリップ
１１  胴部
１２  頭部
１３  尾部
１３ａ  尾部
１５  軸方向スリット
１６  軸方向スリットの底部
１７  軸方向スリットの開口部
１８  側壁部
１９  側壁部の一縁部
２１  側壁スリット
２２  側壁スリットの開口部
２３  側壁スリットの底部
３１  透孔
３２  座刳り部
３３  補助側壁スリット
３４  補助側壁スリットの開口部
３５  補助側壁スリットの底部
３６  凹部
３９  側壁部の他縁部
５０  本発明ロープクリップ
６０Ａ，６０Ｂ  本発明ロープクリップ
８０  本発明ロープクリップ
８１  溝
８２  溝
【図１】
2004270805.tif 000003
【図２】
2004270805.tif 000004
【図３】
2004270805.tif 000005
【図４】
2004270805.tif 000006
【図５】
2004270805.tif 000007
【図６】
2004270805.tif 000008
【図７】
2004270805.tif 000009
【図８】
2004270805.tif 000010
【図９】
2004270805.tif 000011
【図１０】
2004270805.tif 000012
【図１１】
2004270805.tif 000013
【図１２】
2004270805.tif 000014
【図１３】
2004270805.tif 000015